(57)【要約】【課題】設備機器における法定点検の所有者登録率の向上を図る。【解決手段】浴室換気乾燥暖房機１００は、所定の運転動作が可能な本体装置２００と、浴室換気乾燥暖房機１００における法定点検の所有者登録の完了に伴う操作が行われる場合に本体装置２００の運転動作とは異なる運転動作を実行可能に制御する操作装置３００Ａの操作側制御部３１０と、を備える。【選択図】図１
2020186833.tif 000002
【特許請求の範囲】
【請求項１】
所定の運転動作が可能な本体装置と、
特定の操作が行われる場合に前記本体装置の前記運転動作とは異なる運転動作を実行可能に制御する制御部と、
を備える設備機器。
【請求項２】
前記特定の操作は、前記本体装置の法定点検の所有者登録の完了に伴う操作である、
請求項１に記載の設備機器。
【請求項３】
前記異なる運転動作は、前記本体装置が行う全部の運転動作又は一部の運転動作である、
請求項１又は２に記載の設備機器。
【請求項４】
前記一部の運転動作は、前記本体装置に設けられた前記ヒータを用いる運転動作である、
請求項３に記載の設備機器。
【請求項５】
所定の運転動作を行う本体装置と、
前記本体装置に接続され、前記本体装置を操作するための操作装置と、
を備え、
前記操作装置は、
前記本体装置における法定点検の所有者登録が未登録であること、又は前記本体装置における法定点検の所有者登録が登録済みであることを報知する報知部を有する、
設備機器。
【請求項６】
前記操作装置は、前記報知部を制御する制御部を有し、
前記報知部は、発光部であり、
前記制御部は、前記本体装置の電源投入後に前記本体装置における法定点検の所有者登録が未登録である場合に前記発光部を点灯又は点滅させ、前記本体装置の所有者登録が登録済みである場合に前記発光部を消灯させる、
請求項５に記載の設備機器。
【請求項７】
前記操作装置は、前記報知部を制御する制御部を有し、
前記報知部は、発光部であり、
前記制御部は、前記本体装置の電源投入後に前記本体装置における法定点検の所有者登録が登録済みである場合に前記発光部を点灯又は点滅させる、
請求項５に記載の設備機器。
【請求項８】
所定の運転動作を行う本体装置と、
前記本体装置に接続され、前記本体装置を操作するための操作装置と、
を備え、
前記操作装置は、
前記操作装置との間で通信可能に接続される端末装置において前記本体装置の法定点検に関する情報を報知させるための操作を受け付ける入力部を有する、
設備機器。
【請求項９】
前記情報は、前記本体装置における法定点検の所有者登録を促す情報である、
請求項８に記載の設備機器。
【請求項１０】
前記情報は、前記本体装置における法定点検の時期及び前記本体装置の部品交換時期の少なくも一方に関する情報である、
請求項８又は９に記載の設備機器。
【発明の詳細な説明】
【技術分野】
【０００１】
本開示は、設備機器に関する。
【背景技術】
【０００２】
浴室乾燥機等の設備機器においては、長期間の使用に伴い生じる経年劣化による設備機器の故障等を未然に防止するために、メーカー等がユーザーに対して点検や保守に関する情報を提供することでユーザーの点検等を適切に支援する法定点検制度が導入されている。法定点検制度においては、ユーザーに対して製品の品番、製造番号、名前、住所等の所有者情報の登録が要求される。
【０００３】
設備機器の点検時期を通知する技術としては以下に示す特許文献がある。例えば、特許文献１には、本体装置及び部品の点検時期を本体装置及び部品の交換に応じて更新し、本体装置及び部品の点検時期をユーザーに正確に通知する設備機器が記載されている。
【先行技術文献】
【特許文献】
【０００４】
【特許文献１】特開２００９−２７０７３３号公報
【発明の概要】
【発明が解決しようとする課題】
【０００５】
しかしながら、特許文献１等に記載の設備機器等では、法定点検の所有者登録率を直接的に上げることができないという問題がある。さらに、所有者登録を行っていない設備機器の所有者に対して、法定点検に関する情報を提供できないという問題もある。
【０００６】
そこで、本発明は、設備機器における法定点検の所有者登録率の向上を図ることが可能な設備機器を提供する。
【課題を解決するための手段】
【０００７】
本開示の第１態様に係る設備機器は、所定の運転動作を行う本体装置と、特定の操作が行われる場合に前記本体装置の前記運転動作を実行可能に制御する制御部と、を備える。
【０００８】
本開示の第２態様に係る設備機器は、所定の運転動作を行う本体装置と、前記本体装置に接続され、前記本体装置を操作するための操作装置と、を備え、前記操作装置は、前記本体装置における法定点検の所有者登録が未登録であること、又は前記本体装置における法定点検の所有者登録が登録済みであることを報知する報知部を有する。
【０００９】
本開示の第３態様に係る設備機器は、所定の運転動作を行う本体装置と、前記本体装置に接続され、前記本体装置を操作するための操作装置と、を備え、前記操作装置は、前記操作装置との間で通信可能に接続される端末装置において前記本体装置の法定点検に関する情報を報知させるための操作を受け付ける入力部を有する。
【発明の効果】
【００１０】
本開示の第１態様によれば、本体装置の法定点検の所有者登録の完了に伴う操作等の特定の操作が行われる場合に本体装置の前記運転動作を実行可能に制御するように構成したので、法定点検の所有者登録率を上げることができる。
【００１１】
本開示の第２態様によれば、操作装置において法定点検の所有者登録が未登録であること又は法定点検の所有者登録が登録済みであることをユーザーに対して報知するので、法定点検の所有者登録率を上げることができる。
【００１２】
本開示の第３態様によれば、端末装置により前記本体装置の法定点検に関する情報を報知するので、法定点検の所有者登録率を上げることができる。
【図面の簡単な説明】
【００１３】
【図１】第１の実施の形態に係る浴室換気乾燥暖房システムのブロック図である。
【図２】第１の実施の形態に係るサニタリ室に設置される浴室換気乾燥暖房機の図である。
【図３】第１の実施の形態に係る操作装置の正面図である。
【図４】第１の実施の形態に係る浴室換気乾燥暖房システムの動作例を示すフローチャートである。
【図５】第１の実施の形態に係る浴室換気乾燥暖房機の法定点検の所有者登録を行う場合に端末装置の表示部に表示される画面である。
【図６】第２の実施の形態に係る操作装置の正面図である。
【図７】第２の実施の形態に係る浴室換気乾燥暖房システムの動作例を示すフローチャートである。
【図８】第３の実施の形態に係る操作装置の正面図である。
【図９】第３の実施の形態に係る浴室換気乾燥暖房システムの動作例を示すフローチャートである。
【図１０】第３の実施の形態に係る端末装置の表示部に表示される浴室換気乾燥暖房機の法定点検に関する情報を含む画面である。
【図１１】第４の実施の形態に係る浴室換気乾燥暖房システムの動作例を示すフローチャートである。
【発明を実施するための形態】
【００１４】
以下に添付図面を参照しながら、本開示の好適な実施の形態について詳細に説明する。
【００１５】
＜第１の実施の形態＞
［浴室換気乾燥暖房システム１０の構成例］
図１は、第１の実施の形態に係る浴室換気乾燥暖房システム１０の機能構成の一例を示すブロック図である。図２は、第１の実施の形態に係る浴室３０、洗面所４０及びトイレ５０等のサニタリ室に設置される浴室換気乾燥暖房機１００の図である。
【００１６】
まず、浴室換気乾燥暖房システム１０の概略構成について説明する。図１に示すように、浴室換気乾燥暖房システム１０は、設備機器の一例である浴室換気乾燥暖房機１００と、通信装置４００と、サーバ６００と、端末装置７００とを備えている。
【００１７】
浴室換気乾燥暖房機１００は、図１及び図２に示すように、本体装置２００と、操作装置３００Ａとを有している。本体装置２００は、建物の浴室３０内の例えば天井に設置され、排気ダクト２０２を介して建物の外壁に取り付けられた屋外グリル２０４に接続されると共に、副吸込ダクト２０６を介して例えばトイレ５０に設置された副吸込口２０８に接続される。また、本体装置２００は、操作装置３００Ａで受け付けられた各種操作に基づいて所定の運転モードを実行する。運転モードとしては、例えば、浴室３０の換気を行う換気運転モード、入浴者等に対して送風を行う涼風運転モード、浴室３０の暖房を行う暖房運転モード及び浴室３０内に干した衣類等の乾燥を行う乾燥運転モード等が挙げられる。
【００１８】
操作装置３００Ａは、図１及び図２に示すように、例えば建物の洗面所４０内の壁面に設置され、本体装置２００に有線又は無線により接続される。操作装置３００Ａは、本体装置２００における各運転モードを実行するための各種操作を受け付けると共に、浴室換気乾燥暖房機１００（本体装置２００）の法定点検の所有者登録に関する情報を報知する。また、操作装置３００Ａは、有線又は無線により通信装置４００に通信可能に接続される。無線回線としては、例えばＷｉ−Ｆｉ（登録商標）等を用いることができる。
【００１９】
図１に示すように、通信装置４００は、例えば、建物の部屋内に設置され、無線又は有線によりインターネット等の公共網５００に通信可能に接続される。通信装置４００は、浴室換気乾燥暖房機１００の操作装置３００Ａと端末装置７００との間の通信の中継を行う。無線回線としては、例えば４Ｇ、ＬＴＥ、５Ｇ等の種々の無線方式を用いることができる。有線回線としては、例えば光ファイバー等を用いることができる。
【００２０】
サーバ６００は、公共網５００に接続され、浴室換気乾燥暖房機１００の操作装置３００Ａ及び端末装置７００のそれぞれと通信を行う。例えば、サーバ６００は、操作装置３００Ａ及び端末装置７００の両方との認証の成功により、操作装置３００Ａ及び端末装置７００との接続を確立する。サーバ６００は、浴室換気乾燥暖房機１００における法定点検の所有者登録の有無、所有者の名前、住所、浴室換気乾燥暖房機１００の使用期間、部品の交換時期等の法定点検に関する情報を格納し、法定点検の専用サイト又は専用アプリケーションで各情報を提供する。
【００２１】
端末装置７００は、建物内での使用及び建物外に持ち出しての使用が可能であり、公共網５００との間で無線により通信を行う。端末装置７００には、例えば、スマートフォン、タブレット、又はパーソナルコンピュータ等を用いることができる。端末装置７００としてスマートフォン、タブレットを用いる場合、端末装置７００は図示しない無線基地局を経由して公共網５００に接続される。端末装置７００は、公共網５００を経由して浴室換気乾燥暖房機１００及びサーバ６００のそれぞれと通信可能に接続され、例えば浴室換気乾燥暖房機１００の法定点検に関する情報を取得して画面上に表示する。
【００２２】
次に、本体装置２００、操作装置３００Ａ及び端末装置７００の機能ブロックについて図１を参照して説明する。
【００２３】
本体装置２００は、本体側制御部２１０と、ファンモータ２２０と、ダンパモータ２３０と、ヒータ２４０とを備えている。なお、浴室換気乾燥暖房機１００には公知の技術を採用するため、詳細な説明及び図については省略するが、一般的に、本体側制御部２１０、ファンモータ２２０、ダンパモータ２３０及びヒータ２４０は、ファンケースの内部に収容される。ファンケースの下面には吸込口及び吹出口のそれぞれが形成され、ファンケースの側面には排気口が形成される。また、ファンケースの内部には、多翼で構成されるファン及び風路切替ダンパが収容される。
【００２４】
ファンモータ２２０は、本体側制御部２１０から供給される駆動信号に基づいて、ファンを回転駆動することで浴室３０内の空気を循環等させる。
【００２５】
ダンパモータ２３０は、本体側制御部２１０から供給される駆動信号に基づいて、図示しない風路切替ダンパの位置を切り替える。具体的には、ダンパモータ２３０は、排気口を閉じると共に吹出口を開く循環位置、吹出口を閉じると共に排気口を開く換気位置、吹出口及び排気口の双方を開く循環位置と換気位置の間の循環換気位置のそれぞれに風路切替ダンパを移動させる。
【００２６】
ヒータ２４０は、例えばＰＴＣヒータで構成され、吹出口に取り付けられている。ヒータ２４０は、本体側制御部２１０の制御に基づいて駆動し、吹出口を通過する空気を加熱することで室内に温風を吹き出す。
【００２７】
本体側制御部２１０は、ＣＰＵ（Central Processing Unit）、制御プログラムを格納したＲＯＭ（Read Only Memory）、及び作業用のＲＡＭ（Random Access Memory）を含む。ＣＰＵは、ＲＯＭの制御プログラムを実行することにより本体装置２００の各部の機能を実現する。本体側制御部２１０は、操作装置３００Ａで受け付けられた操作に基づいて各種の運転モードを実行する。具体的には、以下の通りである。
【００２８】
本体側制御部２１０は、暖房運転モードでは、風路切替ダンパを循環位置に切り替えると共にファンモータ２２０及びヒータ２４０のそれぞれに通電することで、浴室３０内の空気を循環させながら浴室３０内に温風を吹き出させる。換気運転モードでは、風路切替ダンパを換気位置に切り替えると共にファンモータ２２０に通電することで、浴室３０内の湯気や湿気を屋外へ排気させる。
【００２９】
また、本体側制御部２１０は、乾燥運転モードでは、風路切替ダンパを循環換気位置に切り替えると共にファンモータ２２０及びヒータ２４０のそれぞれに通電することで、浴室３０内の空気を循環させながら浴室３０内に温風を吹き出させる。さらに、浴室３０内の湯気や湿気を屋外へ排気させる。涼風運転モードでは、風路切替ダンパを循環位置に切り替えると共にファンモータ２２０に通電することで、浴室３０内の空気を循環させながら室温に応じた空気を浴室３０内に吹き出させる。
【００３０】
操作装置３００Ａは、操作側制御部３１０と、入力部３２０と、報知部３３０と、通信部３７０とを備えている。
【００３１】
入力部３２０は、各種の運転モードの操作を行うための例えば複数のボタン（図３参照）で構成されている。入力部３２０は、ユーザーのボタン操作に基づく入力情報を受け付け、この受け付けた入力情報を操作側制御部３１０に供給する。
【００３２】
報知部３３０は、ユーザーに対して浴室換気乾燥暖房機１００における法定点検の所有者登録を促す機能を有する。報知部３３０は、例えばＬＥＤ等の発光部（図３参照）で構成され、操作側制御部３１０から供給される駆動信号に基づいて点灯、点滅又は消灯する。なお、報知部３３０は、発光部に限定されることはなく、例えば音声やブザー音等であっても良い。また、報知部３３０を液晶や有機ＥＬ等のディスプレイで構成し、ディスプレイの画面に本体装置２００の法定点検の所有者登録を促すメッセージを表示させるようにしてもよい。
【００３３】
通信部３７０は、無線通信回路及びアンテナを含み、無線により通信装置４００との間で通信を行う。なお、通信部３７０は、無線回線ではなく、ケーブル等の有線により通信装置４００と接続してもよい。
【００３４】
操作側制御部３１０は、ＣＰＵ、制御プログラムを格納したＲＯＭ、及び作業用のＲＡＭを含む。ＣＰＵは、ＲＯＭの制御プログラムを実行することにより操作装置３００Ａの各部の機能を実現する。操作側制御部３１０は、本体装置２００の本体側制御部２１０に無線又は有線により接続され、本体側制御部２１０との間で連動して各種の運転モードの制御を実行する。
【００３５】
端末装置７００は、端末制御部７１０と、表示部７２０と、タッチパネル部７３０と、マイク７４０と、スピーカ７５０と、音声Ｉ／Ｆ部７６０と、通信部７７０とを備えている。
【００３６】
端末制御部７１０は、ＣＰＵ、制御プログラムを格納したＲＯＭ、及び作業用のＲＡＭを含む。ＣＰＵは、ＲＯＭの制御プログラムを実行することにより端末装置７００の各部の機能を実現する。端末制御部７１０は、サーバ６００及び操作装置３００Ａの操作側制御部３１０との間で認証等に基づく通信を確立する。
【００３７】
表示部７２０は、例えば液晶や有機ＥＬ等からなるタッチパネル部７３０付きのディスプレイであり、端末制御部７１０から供給される画像データを画面に表示させる。本実施の形態では、表示部７２０は、浴室換気乾燥暖房機１００の法定点検に関する専用サイト又は専用アプリケーションに基づいて、法定点検の所有者登録を促す画像、法定点検の所有者登録を入力する画像、及び法定点検の点検時期を示す画像等を表示する（図５等参照）。
【００３８】
タッチパネル部７３０は、表示部７２０に法定点検の所有者登録を入力する画像が表示される場合、所有者登録の名前、住所等の固有情報の入力を受け付け、この固有情報を端末制御部７１０に供給する。また、品番や製造番号は、製品に同梱されているハガキや、操作装置３００Ａに表記されている２次元コード３３７ａを端末装置７００で読み取って入力する。また、直接、品番や製造番号を入力するようにしてもよい。
【００３９】
マイク７４０は、周囲の音声を集音してアナログ音声データに変換し、音声Ｉ／Ｆ部７６０に出力する。
【００４０】
スピーカ７５０は、音声Ｉ／Ｆ部７６０から出力されたアナログ音声データを音声に変換して出力する。
【００４１】
音声Ｉ／Ｆ部７６０は、マイク７４０から出力されたアナログ音声データを、デジタル音声データに変換して端末制御部７１０に出力する。また、音声Ｉ／Ｆ部７６０は、端末制御部７１０から出力されたデジタル音声データを、アナログ音声データに変換してスピーカ７５０に出力する。アナログ／デジタル変換は、図示しないＡ／Ｄ，Ｄ／Ａ変換部により行われる。
【００４２】
通信部７７０は、無線通信回路及びアンテナを含み、例えば無線により公共網５００を経由してサーバ６００及び浴室換気乾燥暖房機１００の操作装置３００Ａに通信可能に接続される。なお、通信部７７０と公共網５００との通信は有線であってもよい。
【００４３】
［操作装置３００Ａの構成例］
図３は、操作装置３００Ａの外観の正面図である。操作装置３００Ａの略中央部には、暖房モードを選択するための暖房ボタン３２１と、乾燥モードを選択するための乾燥ボタン３２２と、涼風モードを選択するための涼風ボタン３２３と、換気モードを選択するための換気ボタン３２４とが左右方向に並んで設けられている。換気ボタン３２４の上方側には、選択した各モードの運転を停止させるための停止ボタン３２５が設けられている。
【００４４】
涼風ボタン３２３の下方側には、各運転のタイマー時間を設定するための時間設定ボタン３２６と、タイマーの入時間及び切時間等を切り替えるためのタイマー切替ボタン３２７と、２４時間換気モードを選択するための２４時間換気ボタン３２８とが設けられている。
【００４５】
なお、暖房ボタン３２１、乾燥ボタン３２２、涼風ボタン３２３、換気ボタン３２４、停止ボタン３２５、時間設定ボタン３２６、タイマー切替ボタン３２７及び２４時間換気ボタン３２８は、入力部の一例を構成している。
【００４６】
暖房ボタン３２１の上方側には、暖房モードの強が選択されていることを示す強ランプ３３１ａ及び暖房モードの弱が選択されていることを示す弱ランプ３３１ｂが上下に並んで設けられている。乾燥ボタン３２２の上方側には、乾燥モードの強が選択されていることを示す強ランプ３３２ａ及び乾燥モードの弱が選択されていることを示す弱ランプ３３２ｂが上下に並んで設けられている。
【００４７】
涼風ボタン３２３の上方側には、涼風モードの強が選択されていることを示す強ランプ３３３ａ及び涼風モードの弱が選択されていることを示す弱ランプ３３３ｂが上下に並んで設けられている。換気ボタン３２４の上方側には、換気モードの運転内容を示すクリーンランプ３３４ａ及びタイマーランプ３３４ｂが上下に並んで設けられている。
【００４８】
タイマー切替ボタン３２７の上方側には、切タイマーが選択されていることを示す切タイマーランプ３３５ａ、入タイマーが選択されていることを示す入タイマーランプ３３５ｂが左右に並んで設けられている。
【００４９】
２４時間換気ボタン３２８の上方側には、２４時間換気モードが選択されていることを示す２４時間換気ランプ３３６が設けられている。
【００５０】
操作装置３００Ａの上方左側には、浴室換気乾燥暖房機１００における法定点検の所有者登録が未登録の場合に所有者登録をユーザーに促すための点検ランプ３３７が設けられている。点検ランプ３３７は、浴室換気乾燥暖房機１００の電源投入時に点灯又は点滅し、法定点検の所有者登録が完了した場合に消灯する。なお、点検ランプ３３７の配置は、図３に示す位置に限定されることはなく、ユーザーが視認可能な位置であればよい。なお、操作装置３００Ａにおける点検ランプ３３７等の各種ランプは、報知部の一例を構成している。
【００５１】
［浴室換気乾燥暖房システム１０の動作例］
図４は、第１の実施の形態に係る浴室換気乾燥暖房システム１０の動作の一例を示すフローチャートである。
【００５２】
ステップＳ１００において、本体装置２００の浴室３０の天井への取り付け作業が完了すると共に操作装置３００Ａの洗面所４０の壁面への取り付け作業が完了すると、浴室換気乾燥暖房機１００の電源が投入される。
【００５３】
ステップＳ１１０において、操作装置３００Ａの操作側制御部３１０は、浴室換気乾燥暖房機１００の電源が投入されると、浴室換気乾燥暖房機１００における法定点検の所有者登録を促すための点検ランプ３３７を点灯させる。なお、点検ランプ３３７の点灯パターンは、常時点灯するように制御してもよいし、規則的又はランダムに点滅するように制御してもよい。
【００５４】
ステップＳ１２０において、操作装置３００Ａの操作側制御部３１０は、法定点検の所有者登録が完了しているか否かを判断する。例えば、操作装置３００Ａがネットワークに接続されている場合、操作側制御部３１０は、所有者登録の完了に伴って例えばサーバ６００から送信される登録済み信号を取得したか否かに基づいて所有者登録が完了したか否かを判断する。
【００５５】
浴室換気乾燥暖房機１００における法定点検の所有者登録は、パーソナルコンピュータ、スマートフォン、タブレット、電話又はＦＡＸ等の端末装置７００により行うことができる。以下では、端末装置７００としてスマートフォンを用いた場合について説明する。
以下の実施の形態では、端末装置７００としてスマートフォンを用いた例について説明する。図５は、浴室換気乾燥暖房機１００の法定点検の所有者登録を行う場合に端末装置７００の表示部７２０に表示される画面の一例である。端末装置７００の端末制御部７１０は、専用サイトへのアクセス又は専用アプリケーションの起動に基づいて、表示部７２０の画面にユーザーが所有する浴室換気乾燥暖房機１００の「品番」、「製造番号」、さらに所有者を特定する「お客さま区分」、「入力者」、「お名前」、「電話番号」の入力欄を表示させる。
【００５６】
端末装置７００のタッチパネル部７３０は、画面上での操作に基づく各入力情報を受け付けて端末制御部７１０に出力する。端末制御部７１０は、タッチパネル部７３０から供給された入力情報をサーバ６００に送信する。サーバ６００は、端末装置７００から送信された入力情報に基づいて浴室換気乾燥暖房機１００における法定点検の所有者登録が完了したと判断し、登録済み信号を浴室換気乾燥暖房機１００の操作装置３００Ａに送信する。
【００５７】
また、操作装置３００Ａがネットワークに接続されていない場合、操作側制御部３１０は、所有者登録の完了に伴ってメーカーから電話やハガキ等で通知される浴室換気乾燥暖房機１００の運転制限を解除するための運転規制解除コードがボタン操作で入力されたか否かに基づいて浴室換気乾燥暖房機１００における法定点検の所有者登録が完了したか否かを判断する。
【００５８】
ステップＳ１２０において、浴室換気乾燥暖房機１００の法定点検の所有者登録が完了していないと判断した場合、ステップＳ１１０に戻る。この場合、操作側制御部３１０は、浴室換気乾燥暖房機１００における法定点検の所有者登録が完了するまで、点検ランプ３３７を継続して点灯又は点滅させる。
【００５９】
一方、ステップＳ１２０において、浴室換気乾燥暖房機１００における法定点検の所有者登録が完了していると判断した場合、ステップＳ１３０に進む。ステップＳ１３０において、操作側制御部３１０は、点検ランプ３３７を消灯させる。
【００６０】
なお、上記第１の実施の形態では、点検ランプ３３７の点灯の有無により法定点検の所有者登録の完了の有無を報知するようにしたが、これに限定されることはない。例えば、点検ランプ３３７に代えて、操作装置３００Ａにスピーカを設け、法定点検の所有者登録が完了していないと判断された場合に、スピーカから警告音や音声を一定期間出力するようにしてもよい。
【００６１】
以上説明したように、第１の実施の形態によれば、浴室換気乾燥暖房機１００の所有者登録が完了するまで操作装置３００Ａの点検ランプ３３７を点灯又は点滅させるため、ユーザーや賃貸のオーナーに浴室換気乾燥暖房機１００における法定点検の所有者登録が未登録であることを把握させることができると共に、浴室換気乾燥暖房機１００における法定点検の所有者登録を促すことができる。これにより、浴室換気乾燥暖房機１００の法定点検の所有者登録率を向上させることができる。また、浴室換気乾燥暖房機１００の法定点検の所有者登録率の向上により、浴室換気乾燥暖房機１００の経年劣化による故障等の発生を防止することができる。また、浴室換気乾燥暖房機１００の法定点検の所有者登録のデータベースを活用することで、法定点検の案内に加えて、新製品等のユーザーに役立つ情報を提供することができる。
【００６２】
＜第２の実施の形態＞
第２の実施の形態の操作装置３００Ｂは、第１の実施の形態の操作装置３００Ａとは異なる構成を採用している。なお、その他の構成等については、第１の実施の形態の浴室換気乾燥暖房機１００と同様であるため、詳細な説明は省略する。
【００６３】
［操作装置３００Ｂの構成例］
図６は、操作装置３００Ｂの外観の正面図である。操作装置３００Ｂは、第２の実施の形態の操作装置３００Ａの点検ランプ３３７に代えて、点検登録済みランプ３３８を有している。なお、その他のボタン構成については、操作装置３００Ａの各ボタンと共通している。
【００６４】
点検登録済みランプ３３８は、操作装置３００Ｂの上方左側に配置され、浴室換気乾燥暖房機１００の法定点検の所有者登録が既に完了している場合に所有者登録が完了済みであることをユーザーに報知するために点灯又は点滅する。なお、点検登録済みランプ３３８の配置は、図６に示す位置に限定されることはなく、ユーザーが視認可能な位置であればよい。
【００６５】
［浴室換気乾燥暖房システム１０の動作例］
図７は、第２の実施の形態の変形例に係る浴室換気乾燥暖房システム１０の動作の一例を示すフローチャートである。
【００６６】
ステップＳ２００において、本体装置２００の浴室３０の天井への取り付け作業が完了すると共に操作装置３００Ｂの洗面所４０の壁面への取り付け作業が完了すると、浴室換気乾燥暖房機１００の電源が投入される。
【００６７】
ステップＳ２１０において、操作装置３００Ｂの操作側制御部３１０は、浴室換気乾燥暖房機１００における法定点検の所有者登録が完了しているか否かを判断する。法定点検の所有者登録が完了しているか否かは、上記第１の実施の形態で説明した方法と同様の方法を採用できる。法定点検の所有者登録が完了していないと判断した場合、浴室換気乾燥暖房機１００における法定点検の所有者登録が完了するまで継続して監視する。一方、法定点検の所有者登録が完了していると判断した場合、ステップＳ２２０に進む。
【００６８】
ステップＳ２２０において、操作側制御部３１０は、浴室換気乾燥暖房機１００における法定点検における所有者登録が完了していると判断した場合、点検登録済みランプ３３８を点灯させる。点検登録済みランプ３３８の点灯パターンは、常時点灯させてもよいし、規則的又はランダムに点滅させてもよい。また、点検登録済みランプ３３８を一定期間だけ点灯させるように点灯制御してもよい。
【００６９】
なお、第２の実施の形態では、点検登録済みランプ３３８の点灯の有無により浴室換気乾燥暖房機１００における法定点検の所有者登録が完了済みであることを報知するようにしたが、これに限定されることはない。例えば、点検登録済みランプ３３８に代えて、操作装置３００Ｂにスピーカを設け、浴室換気乾燥暖房機１００における法定点検の所有者登録が完了したと判断された場合に、スピーカから警告音や音声を一定期間出力するようにしてもよい。
【００７０】
また、点検登録済みランプ３３８に加えて、上記第１の実施の形態で説明した点検ランプ３３７を追加で設けることもできる。この場合、浴室換気乾燥暖房機１００の電源が投入されたときに点検ランプ３３７を点灯させ、法定点検における所有者登録が完了していると判断した場合に点検ランプ３３７を消灯させると同時に点検登録済みランプ３３８を点灯させるように点灯制御する。
【００７１】
以上説明したように、第２の実施の形態によれば、浴室換気乾燥暖房機１００の所有者登録が完了した場合に操作装置３００Ｂの点検登録済みランプ３３８を点灯又は点滅させるため、ユーザーや賃貸のオーナーは浴室換気乾燥暖房機１００の所有者登録が既に済んでいることを操作装置３００Ｂで常時確認することができる。
【００７２】
＜第３の実施の形態＞
第３の実施の形態の操作装置３００Ｃは、第１の実施の形態の操作装置３００Ａ等とは異なる構成を採用している。なお、その他の構成等については、第１の実施の形態の浴室換気乾燥暖房機１００と同様であるため、詳細な説明は省略する。
【００７３】
［操作装置３００Ｃの構成例］
図８は、操作装置３００Ｃの外観の正面図である。操作装置３００Ｃは、第１の実施の形態の操作装置３００Ａの点検ランプ３３７に加えて、法定点検ボタン３２９、登録／未登録ランプ３２９ａ、通信ランプ３２９ｂ及び２次元コードの表記３２９ｃを備えている。なお、その他のボタン構成については、操作装置３００Ａの各ボタンと共通している。
【００７４】
法定点検ボタン３２９は、入力部の一例を構成し、点検ランプ３３７と停止ボタン３２５との間に配置され、浴室換気乾燥暖房機１００の法定点検に関する情報をユーザーが所有する端末装置７００の画面上に報知させる機能を有する。登録／未登録ランプ３２９ａは、法定点検の所有者登録が完了すると点灯し、所有者登録が済んでいない場合は点滅又は消灯する。通信ランプ３２９ｂは、操作装置３００Ｃがサーバ６００及び端末装置７００との間で通信を行う際に点灯する。２次元コードの表記３２９ｃは、品番や製造番号を示す情報が表記されている。端末装置７００で所有者登録を行う際に端末装置７００で読み取る。なお、法定点検ボタン３２９等の配置は、図８に示す位置に限定されることはなく、ユーザーが視認可能な位置であればよい。
【００７５】
［浴室換気乾燥暖房システム１０の動作例］
図９は、第３の実施の形態に係る浴室換気乾燥暖房システム１０の動作の一例を示すフローチャートである。
【００７６】
ステップＳ３００において、本体装置２００の浴室３０の天井への取り付け作業が完了すると共に操作装置３００Ｃの洗面所４０の壁面への取り付け作業が完了すると、浴室換気乾燥暖房機１００の電源が投入される。
【００７７】
ステップＳ３１０において、操作装置３００Ｃの操作側制御部３１０は、ユーザーにより法定点検ボタン３２９が押されたか否かを判断する。法定点検ボタン３２９が押されていないと判断した場合、法定点検ボタン３２９の押下を継続して監視する。一方、法定点検ボタン３２９が押されたと判断した場合、ステップＳ３２０に進む。
【００７８】
ステップＳ３２０において、操作装置３００Ｃの操作側制御部３１０は、浴室換気乾燥暖房機１００における法定点検の所有者登録が完了しているか否かを判断する。浴室換気乾燥暖房機１００における法定点検の所有者登録が完了しているか否かは、上記第１の実施の形態で説明した方法と同様の方法を採用できる。浴室換気乾燥暖房機１００における法定点検の所有者登録が完了していると判断した場合にはステップＳ３３０に進む。
【００７９】
ステップＳ３３０において、操作装置３００Ｃの操作側制御部３１０は、通信装置４００及び公共網５００等を介してサーバ６００及び端末装置７００との間で通信を行い、端末装置７００の表示部７２０の画面に浴室換気乾燥暖房機１００の法定点検に関する情報を表示させる。図１０は、端末装置７００の表示部７２０に表示される法定点検に関する情報を含む画面の一例である。端末装置７００の表示部７２０の画面には、所有者登録状況の情報として「お客さまは所有者登録が完了しております。」が表示され、次回の法定点検時期の情報として「点検までの日数  ９年１０か月」及び「点検期間は下記の通りです。  ２０２８年４月から２０３０年４月」が表示される。また、端末装置７００の表示部７２０の画面には、上記情報に加えて、本体装置２００の各部品の交換時期を表示してもよい。
【００８０】
図９に戻り、ステップＳ３２０において、法定点検の所有者登録が完了していないと判断した場合にはステップＳ３４０に進む。
【００８１】
ステップＳ３４０において、操作装置３００Ｃの操作側制御部３１０は、通信装置４００及び公共網５００等を介してサーバ６００及び端末装置７００との間で通信を行い、端末装置７００の表示部７２０の画面に浴室換気乾燥暖房機１００の法定点検の所有者登録を促す情報を表示させる。具体的には、図５に示したように、端末装置７００の表示部７２０の画面には、ユーザーが所有する浴室換気乾燥暖房機１００の「品番」、「製造番号」が表示され、さらに所有者を特定する「お客さま区分」、「入力者」、「お名前」、「電話番号」の入力欄が表示される。
【００８２】
なお、上述したステップS３２０の処理は、操作装置３００Ｃではなく、サーバ６００側又は端末装置７００側の端末制御部７１０で行うこともできる。
【００８３】
以上説明したように、第３の実施の形態によれば、浴室換気乾燥暖房機１００の操作装置３００Ｃの法定点検ボタン３２９が押された場合に、ユーザーが所有する端末装置７００の表示部７２０の画面に、浴室換気乾燥暖房機１００の法定点検の所有者登録が未登録であることを表示させるので、ユーザーや賃貸のオーナーに浴室換気乾燥暖房機１００における法定点検の所有者登録が未登録であることを把握させることができると共に、浴室換気乾燥暖房機１００における法定点検の所有者登録を促すことができる。これにより、浴室換気乾燥暖房機１００における法定点検の所有者登録率を向上させることができる。また、浴室換気乾燥暖房機１００の操作装置３００Ｃの法定点検ボタン３２９が押された場合に、ユーザーが所有する端末装置７００の表示部７２０の画面に、浴室換気乾燥暖房機１００の法定点検時期等に関する情報を表示させるので、ユーザーは浴室換気乾燥暖房機１００の法定点検の時期を正確に把握できる。これにより、浴室換気乾燥暖房機１００の経年劣化による故障等の発生を防止することができる。さらに、浴室換気乾燥暖房機１００における法定点検の所有者登録のデータベースを活用することで、法定点検の案内に加えて、新製品等のユーザーに役立つ情報を提供することができる。
【００８４】
＜第４の実施の形態＞
第４の実施の形態では、浴室換気乾燥暖房機１００における法定点検の所有者登録が完了していない場合に浴室換気乾燥暖房機１００の運転動作に制限を設ける点において上記第１〜第３の実施の形態とは相違している。なお、その他の構成等については、第１の実施の形態の浴室換気乾燥暖房機１００と同様であるため、詳細な説明は省略する。また、第４の実施の形態では、操作装置３００Ａを用いた例について説明する。
【００８５】
［浴室換気乾燥暖房システム１０の動作例］
図１１は、第４の実施の形態に係る浴室換気乾燥暖房システム１０の動作の一例を示すフローチャートである。
【００８６】
ステップＳ４００において、本体装置２００の浴室３０の天井への取り付け作業が完了すると共に操作装置３００Ａの洗面所４０の壁面への取り付け作業が完了すると、浴室換気乾燥暖房機１００の電源が投入される。
【００８７】
本実施の形態において、浴室換気乾燥暖房機１００の電源投入時における運転動作は予め制限されている。例えば、浴室換気乾燥暖房機１００の電源投入時に、換気モード及び涼風モードのみの運転動作を可能とし、ヒータ２４０を利用する暖房モード及び乾燥モードの運転動作を不可能とするように設定される。ヒータ２４０を用いた運転モードを制限する理由は、ヒータ２４０は他の部品に比べて経年劣化により故障し易いからである。
【００８８】
浴室換気乾燥暖房機１００の運転動作の制限の解除及び維持は、操作装置３００Ａ側の操作側制御部３１０が規制する運転モードに対応したボタン操作を無効にするように制御してもよいし、本体装置２００側の本体側制御部２１０が操作装置３００Ａから送信される規制する運転モードに対応した信号を無効にするように制御してもよい。また、浴室換気乾燥暖房機１００の運転動作の制限は、一部のみではなく、浴室換気乾燥暖房機１００の全運転モードを対象とすることもできる。なお、以下では、操作装置３００Ａ側の操作側制御部３１０が浴室換気乾燥暖房機１００の運転動作の制限を制御する場合について説明する。
【００８９】
ステップＳ４１０において、操作装置３００Ａの操作側制御部３１０は、浴室換気乾燥暖房機１００における法定点検の所有者登録が完了しているか否かを判断する。浴室換気乾燥暖房機１００における法定点検の所有者登録が完了しているか否かは、上記第１の実施の形態で説明した方法と同様の方法を採用できる。浴室換気乾燥暖房機１００における法定点検の所有者登録が完了していると判断した場合、ステップＳ４２０に進む。
【００９０】
ステップＳ４２０において、操作装置３００Ａの操作側制御部３１０は、浴室換気乾燥暖房機１００の運転動作の制限を解除する。これにより、例えば操作装置３００Ａでのボタン操作の規制が解除されるので、ユーザーは浴室換気乾燥暖房機１００の全運転モードを実行できるようになる。例えば、浴室換気乾燥暖房機１００の運転動作の制限時に換気モード及び涼風モードのみの選択及び実行が可能であった場合、これらの運転動作とは異なる暖房モード及び乾燥モードの選択及び実行が可能となる。
【００９１】
一方、ステップＳ４１０において、法定点検における所有者登録が完了していないと判断した場合、ステップＳ４３０に進む。ステップＳ４３０において、操作装置３００Ａの操作側制御部３１０は、浴室換気乾燥暖房機１００における法定点検の所有者登録が完了するまで浴室換気乾燥暖房機１００の運転動作の制限を維持する。この場合、浴室換気乾燥暖房機１００の一部の運転モードのみの実行を可能とする状態が継続されるか、浴室換気乾燥暖房機１００の全運転モードを実行することができない状態が継続される。
【００９２】
以上説明したように、第４の実施の形態によれば、浴室換気乾燥暖房機１００における法定点検の所有者登録の完了に伴う操作が行われた場合に、浴室換気乾燥暖房機１００の運転動作の制限を解除する構成となっているので、全運転モードの使用を希望するユーザーは浴室換気乾燥暖房機１００における法定点検の所有者登録を必ず行うようになる。これにより、浴室換気乾燥暖房機１００における法定点検の所有者登録率を向上させることができ、浴室換気乾燥暖房機１００の経年劣化による故障等の発生を防止することができる。さらに、浴室換気乾燥暖房機１００における法定点検の所有者登録のデータベースを活用することで、法定点検の案内に加えて、新製品等のユーザーに役立つ情報を提供することができる。
【００９３】
なお、本発明の技術範囲は、上述した実施形態に限定されるものではなく、本発明の趣旨を逸脱しない範囲において、上述した実施形態に種々の変更を加えたものを含む。上述した実施の形態では、浴室換気乾燥暖房機１００の操作装置３００Ａ等と端末装置７００との間を公共網５００を介して通信可能に接続したが、これに限定されることはない。例えば、公共網５００を介さずに浴室換気乾燥暖房機１００の操作装置３００Ａ等と端末装置７００との間で近距離無線通信を行うようにすることもできる。また、操作装置３００Ａ等から端末装置７００に電子メールを用いて法定点検に関する情報を通知してもよい。
【符号の説明】
【００９４】
１０  浴室換気乾燥暖房システム
１００  浴室換気乾燥暖房機（設備機器）
２００  本体装置
２４０  ヒータ
３００Ａ，３００Ｂ，３００Ｃ  操作装置
３１０  操作側制御部（制御部）
３２０  入力部
３２９  法定点検ボタン（入力部）
３３０  報知部
３３７  点検ランプ（報知部）
３３８  点検登録済みランプ（報知部）
【図１】
2020186833.tif 000003
【図２】
2020186833.tif 000004
【図３】
2020186833.tif 000005
【図４】
2020186833.tif 000006
【図５】
2020186833.tif 000007
【図６】
2020186833.tif 000008
【図７】
2020186833.tif 000009
【図８】
2020186833.tif 000010
【図９】
2020186833.tif 000011
【図１０】
2020186833.tif 000012
【図１１】
2020186833.tif 000013